(57)【要約】【課題】ユーザーが煩わしさを感じないようなタイミングで、ユーザーへの画像調整の通知を行うことにより、ユーザーの利便性が低下することを抑制することができる画像形成装置を提供する。【解決手段】画像形成装置１００において、装着部５１には、消耗品を収容する交換部品が装着される。画像形成部６は、消耗品を消費することによって記録媒体に画像を形成する。第１判定部は、装着部５１に装着された交換部品が、第１交換部品であるか、第１交換部品と異なる第２交換部品であるかを判定する。第１カウント部１３は、交換部品の交換回数をカウントする。第２カウント部１４は、画像形成動作の回数に対応する形成枚数をカウントする。第２判定部は、形成枚数の累積値が、基準値を超えたか否かを判定する。通知部１６は、第２判定部の判定結果及び交換部品の交換回数に基づいて、画像調整の通知を行う。【選択図】図２
2019144289.tif 000002
【特許請求の範囲】
【請求項１】
画像形成動作の繰り返しによって消費される消耗品を消費することによって画像を形成する画像形成装置であって、
前記消耗品を収容する交換部品が装着される装着部と、
前記消耗品を消費することによって記録媒体に画像を形成する画像形成部と、
前記装着部に装着された前記交換部品が、第１交換部品であるか、前記第１交換部品と異なる第２交換部品であるかを判定する第１判定部と、
前記交換部品の交換回数をカウントする第１カウント部と、
前記画像形成動作の回数に対応する形成枚数をカウントする第２カウント部と、
カウントされた前記形成枚数の累積値が、基準値を超えたか否かを判定する第２判定部と、
前記第２判定部の判定結果及び前記交換部品の交換回数に基づいて、画像調整の通知を行う通知部とを備える、画像形成装置。
【請求項２】
前記第１交換部品には第１消耗品が収容されており、前記第２交換部品には第２消耗品が収容されており、
前記第２カウント部は、前記第１消耗品を消費した前記画像形成動作の回数に対応する第１形成枚数をカウントし、前記第２消耗品を消費した前記画像形成動作の回数に対応する第２形成枚数をカウントし、
前記第２判定部は、前記第２形成枚数の累積値が、前記基準値を超えたか否かを判定する、請求項１に記載の画像形成装置。
【請求項３】
前記第２交換部品の交換回数に応じて、前記画像調整の前記通知の頻度、範囲、対象者、表現内容の少なくとも一つを変更する、請求項１又は請求項２に記載の画像形成装置。
【請求項４】
前記第２カウント部は、前記交換部品に収納された前記消耗品の消費時間をカウントし、
前記通知部は前記消費時間に応じて、前記画像調整の前記通知の、頻度、範囲、対象者、及び表現内容を変更する、請求項１又は請求項２に記載の画像形成装置。
【請求項５】
前記第２交換部品の交換回数に応じて、前記基準値を変更する、請求項１〜請求項３のいずれか１項に記載の画像形成装置。
【請求項６】
前記第２カウント部は、前記第１交換部品と前記第２交換部品とで、前記形成枚数をカウントする際の係数を変更する、請求項１、請求項２及び請求項５のいずれか１項に記載の画像形成装置。
【発明の詳細な説明】
【技術分野】
【０００１】
本発明は、画像形成装置に関する。
【背景技術】
【０００２】
特許文献１には、トナーカートリッジのような現像剤収容部を使用して画像を形成する画像形成装置が開示されている。詳しくは、特許文献１に開示の画像形成装置は、現像剤が純正品であるか否かを判断して、純正品でないと判断された場合に、動作モードを標準モードからセーフティモードに設定する。詳しくは、セーフティモードにおいて、画像形成装置は、標準モードに対し、クリーニング頻度、キャリブレーション頻度もしくは管理センターとの通信頻度を増加させて、又は印刷速度を低下させて印刷処理を行う。
【先行技術文献】
【特許文献】
【０００３】
【特許文献１】特開２００５−１１５０５４号公報
【発明の概要】
【発明が解決しようとする課題】
【０００４】
特許文献１に記載の画像形成装置では、現像剤収容部が純正品であるか非純正品であるかに応じて動作モードを切り替えるのみで、現像剤の交換回数、又は印刷枚数に関わらず同じ処理を行う。しかしながら、すぐには純正品が用意できない場合で、社内資料には使用できる品質の非純正品を使用する場合がある。この場合には、従来技術では印刷ジョブの度に、印刷速度の低下又はユーザーへの通知が起こり、ユーザーの利便性が低下する。
【０００５】
本発明は、上記課題に鑑み、ユーザーが煩わしさを感じないようなタイミングで、ユーザーへの画像調整の通知を行うことにより、ユーザーの利便性が低下することを抑制することができる画像形成装置を提供することを目的とする。
【課題を解決するための手段】
【０００６】
本発明に係る画像形成装置は、装着部と、第１判定部と、第１カウント部と、第２カウント部と、第２判定部と、画像形成部と、通知部とを備える。前記装着部には、消耗品を収容する交換部品が装着される。前記画像形成部は、消耗品を消費することによって記録媒体に画像を形成する。前記第１判定部は、前記装着部に装着された前記交換部品が、第１交換部品であるか、前記第１交換部品と異なる第２交換部品であるかを判定する。前記第１カウント部は、前記交換部品の交換回数をカウントする。前記第２カウント部は、前記画像形成動作の回数に対応する形成枚数をカウントする。前記第２判定部は、カウントされた前記形成枚数の累積値が、基準値を超えたか否かを判定する。前記通知部は、前記第２判定部の判定結果及び前記交換部品の交換回数に基づいて、画像調整の通知を行う。
【発明の効果】
【０００７】
本発明によれば、ユーザーが煩わしさを感じないようなタイミングで、ユーザーへの画像調整の通知を行うことにより、ユーザーの利便性が低下することを抑制することができる。
【図面の簡単な説明】
【０００８】
【図１】本発明の実施形態に係る画像形成装置の構成を示す図である。
【図２】本発明の実施形態に係る画像形成装置の構成を示すブロック図である。
【図３】本発明の実施形態に係る制御部の処理を示すフローチャートである。
【図４】本発明の実施形態に係る通知画面の一例を示す図である。
【発明を実施するための形態】
【０００９】
以下、図面を参照して、本発明に係る画像形成装置の実施形態について説明する。なお、図中、同一又は相当部分については同一の参照符号を付して説明を繰り返さない。
【００１０】
図１を参照して、本実施形態に係る画像形成装置１００の構成を説明する。図１は、本実施形態に係る画像形成装置１００の構成を示す図である。本実施形態において、画像形成装置１００は、複合機である。
【００１１】
画像形成装置１００は、筐体１、操作部２、給紙部３、搬送部４、補給部５、画像形成部６、及び排出部７を備える。給紙部３、搬送部４、補給部５、画像形成部６、及び排出部７は、筐体１の内部に収容される。本実施形態に係る画像形成装置１００は、モノクロ方式により画像を形成する。
【００１２】
操作部２は、画像形成装置１００に対するユーザーからの指示を受け付ける。操作部２は、ユーザーからの指示を受け付けると、ユーザーからの指示を示す信号を出力する。
【００１３】
操作部２は、タッチパネル２１及び複数の操作キー２２を含む。タッチパネル２１は、ディスプレー及びタッチセンサーを含む。
【００１４】
ディスプレーは、各種画面を表示する。各種画面は、待ち受け画面及びサービス画面を含む。待ち受け画面は、例えば、各種処理の実行を指示するためのメニューボタンを含む。サービス画面は、例えば、画像形成装置１００の設定を変更するための画面である。ディスプレーは、例えば、液晶ディスプレー又は有機ＥＬディスプレー（Ｏｒｇａｎｉｃ  Ｅｌｅｃｔｒｏ  Ｌｕｍｉｎｅｓｃｅｎｃｅ  Ｄｉｓｐｌａｙ）である。
【００１５】
タッチセンサーは、被検知体によるタッチを検知する。タッチセンサーは、被検知体によるタッチを検知した位置を示す検知信号を出力する。被検知体は、例えば、ユーザーの指である。タッチセンサーは、例えば、抵抗膜方式のタッチセンサーである。複数の操作キー２２は、例えば、テンキー、スタートキー、及びキャンセルキーを含む。
【００１６】
給紙部３は、複数のシートＳを収容し、収容された複数のシートＳを一枚ずつ給紙する。
【００１７】
搬送部４は、給紙されたシートＳを排出部７まで搬送する。
【００１８】
補給部５は、画像形成部６へ消耗品を補給する。本実施形態において、消耗品は、トナーである。
【００１９】
補給部５は、開閉検知スイッチ、装着部５１、部品検知スイッチ５２、及び部品情報読取部５３を備える。
【００２０】
開閉検知スイッチは、筐体１が備えるカバー部材の開閉を検知する。開閉検知スイッチは、カバー部材が閉じると、カバー部材が閉じたことを示す信号を出力する。カバー部材は、閉じた状態において筐体１の壁部の一部を構成する。一方、カバー部材が開いた状態になると、装着部５１が露出する。ユーザーは、カバー部材を開いた状態にすることにより、交換部品Ｃを交換することができる。
【００２１】
装着部５１には、交換部品Ｃが装着自在に装着される。交換部品Ｃは、画像形成動作の繰り返しによって消費される消耗品を収容する。本実施形態において、消耗品はトナーであり、交換部品Ｃは、トナーカートリッジである。
【００２２】
交換部品Ｃは、画像形成装置１００の専用品と、非専用品とを含む。画像形成装置１００の専用品は、第１交換部品の一例である。また、画像形成装置１００の非専用品は、第２交換部品の一例である。専用品と非専用品とは、例えば、収容するトナーの特性が互いに異なる。第１交換部品には第１消耗品が収容されており、第２交換部品には第２消耗品が収容されている。例えば、第１消耗品は専用品のトナーであり、第２消耗品は非専用品のトナーである。
【００２３】
交換部品Ｃは、記憶素子ＣＭを備える。記憶素子ＣＭは、例えば、ＲＦ（Ｒａｄｉｏ  Ｆｒｅｑｕｅｎｃｙ  Ｉｄｅｎｔｉｆｉｃａｔｉｏｎ）タグのような非接触タグ（電子タグ）である。記憶素子ＣＭは、交換部品Ｃに関する情報を記憶する。以下、交換部品Ｃに関する情報を「交換部品情報」と記載する。交換部品情報は、製造元を示す製造元情報、型式番号を示す型式番号情報、及びトナーカートリッジのシリアル番号を示すシリアル情報を含む。
【００２４】
部品検知スイッチ５２は、装着部５１に交換部品Ｃが装着されていることを検知する。
【００２５】
部品情報読取部５３は、交換部品情報を記憶素子ＣＭから読み取り、交換部品情報を示す信号を出力する。以下、交換部品情報を記憶素子ＣＭから読み取る処理を「部品情報読取処理」と記載する。部品情報読取部５３は、例えば、ＲＦリーダーのような近距離無線通信機である。
【００２６】
画像形成部６は、画像形成処理（印刷）を実行する。詳しくは、画像形成部６は、消耗品を使用してシートＳに画像（トナー像）を形成する。シートＳは「記録媒体」の一例である。本実施形態において、画像形成部６は、露光装置６１、帯電装置６２、感光体ドラム６３、現像装置６４、クリーニング装置６５、転写装置６６、及び定着装置６７を備え、電子写真方式によって画像を形成する。
【００２７】
排出部７は、トナー像が定着したシートＳを、シート排出口を介して筐体１の内部から排出トレイへ排出する。
【００２８】
続いて、図１及び図２を参照して、本実施形態に係る画像形成装置１００の構成について更に説明する。図２は、本実施形態に係る画像形成装置１００の構成を示すブロック図である。
【００２９】
図２に示すように、画像形成装置１００は、通信部８、記憶部９、及び制御部１０を更に備える。
【００３０】
通信部８は、同じ通信方式（プロトコル）を利用する通信機が搭載された電子機器との間で通信が可能である。本実施形態において、通信部８は、ＬＡＮ（Ｌｏｃａｌ  Ａｒｅａ  Ｎｅｔｗｏｒｋ）などのネットワーク網Ｎを介して第１外部装置Ｅ１及び第２外部装置Ｅ２と通信する。通信部８は、例えば、ＬＡＮボードのような通信モジュール（通信機器）である。
【００３１】
第１外部装置Ｅ１は、ユーザーが使用する装置であり、具体的には、パーソナルコンピューター、又はタブレット端末装置である。本実施形態において、ユーザーは、第１外部装置Ｅ１を操作することによって、画像形成装置１００に対して印刷ジョブの実行の要求を送信する。以下、印刷ジョブの実行の要求を「印刷ジョブ要求」と記載する。また、ユーザーは、印刷ジョブの実行を要求する際に、印刷条件を指定する。印刷条件は、印刷ジョブによって印刷される予定の部数（予定部数）及び印刷ジョブによって印刷される予定の枚数（予定枚数）を含む。印刷条件を示す情報は、印刷ジョブ要求と共に通信部８へ送信される。制御部１０は、通信部８が印刷ジョブ要求を受信すると画像形成装置１００の各部の動作を制御して印刷ジョブを実行する。
【００３２】
第２外部装置Ｅ２は、例えば、サービスマンが使用する装置であり、具体的には、パーソナルコンピューター、又はタブレット端末装置である。
【００３３】
記憶部９は、各種のデータを記憶する。記憶部９は、ストレージデバイス及び半導体メモリーによって構成される。ストレージデバイスは、例えば、ＨＤＤ（Ｈａｒｄ  Ｄｉｓｋ  Ｄｒｉｖｅ）及び／又はＳＳＤ（Ｓｏｌｉｄ  Ｓｔａｔｅ  Ｄｒｉｖｅ）によって構成される。半導体メモリーは、例えば、ＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）を構成する。記憶部９は、制御プログラムを記憶する。
【００３４】
本実施形態において、記憶部９は、部品情報を記憶する。部品情報は、例えば、第１交換部品の製造元情報、及び型式番号情報を含む。
【００３５】
制御部１０は、ＣＰＵ（Ｃｅｎｔｒａｌ  Ｐｒｏｃｅｓｓｉｎｇ  Ｕｎｉｔ）のようなプロセッサーによって構成される。また、制御部１０は、画像形成処理用の集積回路を備える。画像形成処理用の集積回路は、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）によって構成される。制御部１０は、制御プログラムを実行することにより、画像形成装置１００の各部の動作を制御する。
【００３６】
本実施形態において、制御部１０は、ジョブ受付部１１、第１判定部１２、第１カウント部１３、第２カウント部１４、第２判定部１５、及び通知部１６を備える。
【００３７】
制御部１０が実行するジョブ受付部１１は、ユーザーからの指示に基づいて、印刷ジョブを受け付ける。本実施形態において印刷ジョブは、例えば操作部２を使用するユーザーからの複写（コピー）指示、及び通信部８経由でユーザーが使用する第１外部装置Ｅ１からの印刷（プリント）指示を含む。
【００３８】
第１判定部１２は、交換部品Ｃが第１交換部品であるか否かを判定する処理である。第１判定部１２の処理は、画像形成装置１００の電源起動時、又は、補給部カバーが閉じたことを示す信号を補給部５から受信した時に開始される。詳しくは、制御部１０は、画像形成装置１００の電源起動時、又は、補給部カバーが閉じたことを示す信号を補給部５から受信すると、部品情報読取処理を部品情報読取部５３に実行させて交換部品情報を取得する。制御部１０は、取得した交換部品情報と、記憶部９に記憶された部品情報とが一致するか否かによって、交換部品Ｃが第１交換部品であるか否かを判定する。制御部１０は、交換部品Ｃが第１交換部品であると判定すると、専用フラグをオフ状態からオン状態へ遷移させる。あるいは、専用フラグをオン状態のまま維持させる。一方、制御部１０は、交換部品Ｃが第２交換部品であると判定した時に、専用フラグをオン状態からオフ状態に遷移させる。あるいは、専用フラグをオフ状態のまま維持する。専用フラグを示すデータは、記憶部９に記憶される。
【００３９】
第１カウント部１３は、交換部品Ｃの交換回数をカウントする。例えば、第１判定部１２の処理結果を参照して、交換部品Ｃが第１交換部品であった場合に、第１交換回数ＣＣ１を更新して、記憶部９に保存する。同様に、交換部品Ｃが第２交換部品であった場合に、第２交換回数ＣＣ２を更新して、記憶部９に保存する。第１交換回数ＣＣ１は、第１交換部品の交換回数を示し、第２交換回数ＣＣ２は、第２交換部品の交換回数を示す。
【００４０】
第２カウント部１４は、画像形成部６が実行する画像形成処理（印刷）の形成枚数をカウントする。例えば、第２カウント部１４は、第１消耗品を消費した画像形成動作の回数に対応する第１形成枚数Ｔ１をカウントして、記憶部９に保存する。例えば、第２カウント部１４は、第２消耗品を消費した画像形成動作の回数に対応する第２形成枚数Ｔ２をカウントして、記憶部９に保存する。第１形成枚数Ｔ１は、第１消耗品を用いて画像が形成された用紙の枚数を示し、第２形成枚数Ｔ２は、第２消耗品を用いて画像が形成された用紙の枚数を示す。
【００４１】
第２判定部１５は、記憶部９に保存されている基準値ＴＨを読み込んで、第２形成枚数Ｔ２（第２交換部品の形成枚数の累積値）が基準値ＴＨを超えたか否かを判定する。
【００４２】
通知部１６は、第２判定部１５の判定結果に基づいて、画像調整の通知を行う。通知の、頻度、範囲、対象者、表現内容に関する情報は記憶部９に記憶されおり、後述にて詳細に説明する。
【００４３】
次に、図１〜図３を参照して、本実施形態に係る制御部１０の処理について説明する。図３は、本実施形態に係る制御部１０の処理を示すフローチャートである。本処理は、例えば、画像形成装置１００の電源起動時に開始される。あるいは、ジョブ受付部１１が、ユーザーからの指示に基づいて、印刷ジョブを受け付けた時に開始される。
【００４４】
ステップＳ１０１：第１判定部１２は、交換部品Ｃの交換部品情報を取得して、交換部品Ｃが第２交換部品であるか否かを判定する。第１カウント部１３は、第１判定部１２の処理結果を参照して、交換部品Ｃが第２交換部品であった場合に、第２交換回数ＣＣ２を更新する。更新時には、第１カウント部１３は、交換部品情報を記憶部９に記憶する。第１カウント部１３は、次回のステップＳ１０１の処理の時に取得した交換部品情報と比較して、同じ値でなければ交換部品Ｃが交換されたと判定する。ステップＳ１０１で、第２交換部品であると判定された場合（ステップＳ１０１のＹｅｓ）、制御部１０は処理をステップＳ１０３へ移す。ステップＳ１０１で、第２交換部品でないと判定された場合（ステップＳ１０１のＮｏ）、制御部１０は処理を終了する。
【００４５】
ステップＳ１０３：制御部１０は、第２カウント部１４が算出した第２形成枚数Ｔ２を、記憶部９から取得する。また、記憶部９から基準値ＴＨを取得する。第２判定部１５は、第２形成枚数Ｔ２が基準値ＴＨを超えたか否かを判定する。ステップＳ１０３で、基準値ＴＨを超えたと判定された場合（ステップＳ１０３のＹｅｓ）、制御部１０は処理をステップＳ１０５へ移す。ステップＳ１０３で、基準値ＴＨを超えていないと判定された場合（ステップＳ１０３のＮｏ）、制御部１０は処理を終了する。
【００４６】
ステップＳ１０５：制御部１０は、第１カウント部１３が更新する第２交換回数ＣＣ２を記憶部９から取得する。
【００４７】
ステップＳ１０７：記憶部９は、第２交換回数ＣＣ２に対応する通知の、頻度ＭＧ１、範囲ＭＧ２、対象者ＭＧ３、表現内容ＭＧ４に関する情報を記憶している。通知部１６は、第２交換回数ＣＣ２を用いて、頻度ＭＧ１、範囲ＭＧ２、対象者ＭＧ３、表現内容ＭＧ４に関する情報を参照して、画像調整の通知を行う。その結果、第２交換回数ＣＣ２が増えると、通知する頻度が増え、通知を伝える機器及び対象者の範囲が広がる。
【００４８】
頻度ＭＧ１は、画像が形成された用紙の所定枚数当たりに行う通知の回数を示す。例えば、第２交換回数ＣＣ２が１の場合は、形成枚数が１００枚毎に通知し、第２交換回数ＣＣ２が２の場合は、形成枚数が５０枚毎に通知する。更に、形成枚数に応じて変更する替わりに、印刷ジョブ回数に応じて変更してもよい。
【００４９】
範囲ＭＧ２は、通知が行われる機器や画面表示の種類を示す。例えば、第２交換回数ＣＣ２が１の場合は、パソコンのユーティリティーにポップアップ表示で通知し、第２交換回数ＣＣ２が２の場合は、パソコンの印刷画面で通知し、第２交換回数ＣＣ２が３の場合は、画像形成装置１００のタッチパネル２１に表示して通知する。更に、第２交換回数ＣＣ２が４の場合は、登録先（管理者）にメールを送信して通知する。また、第２交換回数ＣＣ２が３の場合は、パソコンのユーティリティー、パソコンの印刷画面、及び画像形成装置１００のタッチパネル２１に表示してもよい。
【００５０】
対象者ＭＧ３は、通知が行われる対象者のランクを示す。例えば、第２交換回数ＣＣ２が１の場合は、ユーザーに通知し、第２交換回数ＣＣ２が２の場合は、ユーザー側の部門管理者に通知し、第２交換回数ＣＣ２が３の場合は、サービスマンに通知する。また、第２交換回数ＣＣ２が３の場合は、ユーザー、部門管理者、及びサービスマンに通知してもよい。
【００５１】
表現内容ＭＧ４は、通知に使われるメッセージの内容である。例えば、第２交換回数ＣＣ２が１の場合は、短い第１メッセージＭ１を表示し、第２交換回数ＣＣ２が２の場合は、第１メッセージＭ１より文字数の多い第２メッセージＭ２を表示し、第２交換回数ＣＣ２が３の場合は、第２メッセージＭ２より更に文字数の多い第３メッセージＭ３を表示する。第１メッセージＭ１、第２メッセージＭ２、及び第３メッセージＭ３の具体例は、図４を参照して詳しく後述する。
【００５２】
本実施形態では、第２交換回数ＣＣ２を用いて、頻度ＭＧ１、範囲ＭＧ２、対象者ＭＧ３、表現内容ＭＧ４に関する情報を参照して、画像調整の通知を行う。しかしながら、第２交換回数ＣＣ２以外を用いて、ユーザーへの画像調整の通知の、頻度、範囲、対象者、表現内容を変更してもよい。例えば、第２交換回数ＣＣ２の替わりに、第２カウント部１４が第２交換部品に収納された消耗品の消費時間をカウントし、消耗品の消費時間を用いて、通知の、頻度、範囲、対象者、表現内容を変更してもよい。第２交換部品の消耗品の消費時間は、例えば、交換部品Ｃを第２交換部品に交換した日時と、第２交換部品が空になった日時との差から算出できる。
【００５３】
その結果、消耗品の消費時間が短くなると、交換回数も増えるので、通知する頻度が増え、通知を伝える機器及び対象者の範囲が広がる。
【００５４】
本実施形態では、第２判定部１５は、第２形成枚数Ｔ２が基準値ＴＨを超えたか否かを判定する。しかしながら、基準値ＴＨは固定した値でなくてもよい。例えば、第２交換回数ＣＣ２が多くなると、基準値ＴＨをより小さな値に変更してもよい。その結果、より少ない形成枚数で対象者及び対象機器に画像調整を通知することができる。
【００５５】
ステップＳ１０３では、第２形成枚数Ｔ２が基準値ＴＨを超えたか否かを判定した。しかしながら、第１形成枚数Ｔ１と第２形成枚数Ｔ２との和が、基準値ＴＨを超えたか否かを判定してもよい。更に、第１形成枚数Ｔ１と第２形成枚数Ｔ２との和を算出する際に、異なる係数をそれぞれの形成枚数に掛けてもよい。例えば、第１形成枚数Ｔ１の係数を１にして、第２形成枚数Ｔ２の係数を２にすれば、第２交換部品を用いる比率が高くなる。したがって、係数の和が基準値ＴＨを超えて、通知の時期が早くなる。その結果、第２交換部品を用いる比率が高いと、頻繁に対象者及び対象機器に画像調整が通知されるようになる。
【００５６】
続いて、図１〜図４を参照して、本実施形態に係る通知に使われる表現内容ＭＧ４を説明する。本説明においては、範囲ＭＧ２が画像形成装置である場合の通知部１６の動作と、通知画面Ｇとについて説明する。図４は、本実施形態に係る通知画面Ｇの一例を示す図である。
【００５７】
図４（ａ）に示すように、操作部２のタッチパネル２１に第１通知画面Ｇ１が表示される。第１通知画面Ｇ１は、第１メッセージＭ１、スキップボタンＢ１、及び画質調整ボタンＣ１を含む。第１メッセージＭ１は、「指定外トナーでの印刷が〇〇〇枚を超えました。」というメッセージを含む。ユーザーがスキップボタンＢ１をタッチすると、タッチパネル２１は、ユーザーのタッチを検知して検知信号を制御部１０へ送信する。制御部１０は、検知信号に基づいて、スキップボタンＢ１がタッチされたことを検知する。制御部１０は、スキップボタンＢ１のタッチを検知すると、第１通知画面Ｇ１の表示を終了させる。また、制御部１０は、画質調整ボタンＣ１のタッチを検知すると、制御部１０は、第１通知画面Ｇ１の表示を終了させて、不図示の画質調整ステップに処理を移す。
【００５８】
同様に、図４（ｂ）に示すように、タッチパネル２１に第２通知画面Ｇ２が表示される。第２通知画面Ｇ２は、第２メッセージＭ２、スキップボタンＢ２、及び画質調整ボタンＣ２を含む。第２メッセージＭ２は、「指定外トナーでの印刷が〇〇〇枚を超えました。」及び「画像に不具合はありませんか？」というメッセージを含む。
【００５９】
同様に、図４（ｃ）に示すように、タッチパネル２１に第３通知画面Ｇ３が表示される。第３通知画面Ｇ３は、第３メッセージＭ３、スキップボタンＢ３、及び画質調整ボタンＣ３を含む。第３メッセージＭ３は、「指定外トナーでの印刷が〇〇〇枚を超えました。」、「画像に不具合はありませんか？」及び「調整を実施して下さい。」というメッセージを含む。以上、第２交換回数ＣＣ２が増えると、画質調整を促すメッセージを、より長文にして、更に具体的に通知するように、表現が変更される。
【００６０】
以上、本発明の実施形態について、図面（図１〜図４）を参照しながら説明した。但し、本発明は、上記の実施形態に限られるものではなく、その要旨を逸脱しない範囲で種々の態様において実施することが可能である。また、上記の実施形態で示す構成や数値は、一例であって特に限定されるものではなく、本発明の効果から実質的に逸脱しない範囲で種々の変更が可能である。
【００６１】
例えば、本発明の実施形態では、モノクロ方式の画像形成装置１００に本発明が適用される場合を例に説明したが、本発明は、例えば、カラー方式の画像形成装置にも適用可能である。
【００６２】
なお、本実施形態において、画像形成装置１００が複合機である場合を例に説明したが、画像形成装置１００は、例えば、コピー機又はプリンターであってもよい。
【００６３】
また、本発明の実施形態では、電子写真方式の画像形成装置１００に本発明が適用される場合を例に説明したが、本発明は、例えば、インクジェット方式の画像形成装置にも適用可能である。この場合、交換部品Ｃは、インクカートリッジである。
【産業上の利用可能性】
【００６４】
本発明は、部品の交換を要する画像形成装置の分野に有用である。
【符号の説明】
【００６５】
２                操作部
６                画像形成部
１０              制御部
５１              装着部
１００            画像形成装置
【図１】
2019144289.tif 000003
【図２】
2019144289.tif 000004
【図３】
2019144289.tif 000005
【図４】
2019144289.tif 000006